(57)【要約】【課題】接合部からの水漏れを一段と確実に防止できる止水治具及びこれを用いた止水構造を提供することにある。【解決手段】  接合部へ地下水が一旦浸水してきた場合であっても、当該地下水により水膨張ゴム13a、13b及び13cが膨張され、この膨張圧によって水膨張ゴム13a、13b及び13cそれぞれ治具装着孔９の側面9Aにさらに一段と圧着されるため、当該治具装着孔９内が仕切り板12によって確実に仕切られるので、治具装着孔９に地下水が浸水しても止水でき、かくして接合部からの水漏れを一段と確実に防止できる。【選択図】        図２
2005155038.tif 000002
【特許請求の範囲】
【請求項１】
連続部材間の接合部内に形成される接合孔で止水を行う止水治具において、前記接合孔内で３箇所で接すると共に、前記３箇所のうち少なくともいずれか１箇所が水膨張ゴムを介して前記接合孔と接することで前記接合孔内を仕切る仕切り板を備えることを特徴とする止水治具。
【請求項２】
前記仕切り板は、ほぼ断面Y字状に形成されていることを特徴とする請求項１記載の止水治具。
【請求項３】
前記仕切り板は、前記３箇所全てが水膨張ゴムを介して前記側面と接していることを特徴とする請求項２記載の止水治具。
【請求項４】
連続部材間の接合部内に形成される接合孔で止水治具を用いて止水を行う止水構造において、前記止水治具は請求項１〜３のうちいずれか１項記載の止水治具を用いることを特徴とする止水構造。
【発明の詳細な説明】
【技術分野】
【０００１】
この発明は、例えば PC（プレキャストコンクリート）部材やボックスカルバート、コンクリート床版など連続部材が接合され、当該連続部材間の接合部内に形成された接合孔で止水を行う止水治具及びこれを用いた止水構造に関するものである。
【背景技術】
【０００２】
従来、例えば地下構造物を布設する際には、コンクリートでなるPC部材を接合させたPC壁体を用いて土留めや止水を行っている（例えば、特許文献１参照）。
【特許文献１】特開２００３−１９３４９４号（図９）
【発明の開示】
【発明が解決しようとする課題】
【０００３】
実際上、このPC壁体は、地下構造物の布設箇所の両側に角筒状のPC部材が互いに接合面を隣接させて打ち込まれた後、PC部材間の接合部に形成された接合孔にモルタルグラウト材が注入され、これが凝結することにより接合部の隙間を埋めて土留めや止水を行っている。
【０００４】
しかしながら、かかる構成のPC壁体は、地震などにより接合部に力が加わると、接合部で凝結したモルタルグラウト材にヒビ割れが生じる場合があり、このときヒビ割れ箇所から地下水などが一旦浸水すると次第にヒビ割れが大きくなって、その結果接合部で止水できなくなり水漏れが生じるという問題があった。
【０００５】
そこで本発明は上記の問題点に鑑み、接合部からの水漏れを一段と確実に防止し得る止水治具を提供することにある。
【課題を解決するための手段】
【０００６】
本発明の請求項１では、連続部材が接合され、前記連続部材間の接合部内に形成される接合孔で止水を行う止水治具において、当該接合孔内で３箇所で接すると共に、前記３箇所のうち少なくともいずれか１箇所が水膨張ゴムを介して前記接合孔と接することで前記接合孔内を仕切る仕切り板を備えるようにした。
【０００７】
本発明の請求項２では、前記仕切り板は、ほぼ断面Y字状に形成するようにした。
【０００８】
本発明の請求項３では、前記仕切り板は、前記３箇所全てが水膨張ゴムを介して前記側面と接するようにした。
【０００９】
本発明の請求項４では、連続部材が接合され、前記連続部材間の接合部内に形成される接合孔で止水を行う止水治具において、前記止水治具は請求項１〜３のうちいずれか１項記載の止水治具を用いるようにした。
【発明の効果】
【００１０】
請求項１及び４の発明によれば、接合部へ地下水が一旦浸水してきた場合であっても、当該地下水により水膨張ゴムが膨張され、この膨張圧によって３箇所全てがそれぞれ接合孔の側面に一段と圧着されるため、地下水が浸水することにより当該接合孔内を仕切り板によって一段と確実に仕切ることができるので、接合孔で地下水を確実に止水でき、かくして接合部からの水漏れを一段と確実に防止できる。
【００１１】
また、請求項２の発明によれば、水膨張ゴムから加わる膨張圧を確実に３箇所全てにほぼ均等に分散でき、かくして膨張圧により３箇所全てを確実に側面に対して圧着させることができる。
【００１２】
さらに、請求項３の発明によれば、３箇所全てがそれぞれ水膨張ゴムを介して側面と接しているので、接合部へ地下水が浸水してきた場合でも、いずれか１つの水膨張ゴムに地下水が接触しさえすれば、当該水膨張ゴムが膨張され側面と接する３箇所全ての水膨張ゴムをさらに一段と側面に圧着させることができる。
【発明を実施するための最良の形態】
【００１３】
以下、本発明における好ましい実施例について、添付図面を参照しながら説明する。
【００１４】
図１において、１は全体としてPC壁体を示し、ほぼ角筒状のPC部材2a、2b…を並べて土壌３へ打ち込んだ後、これを接合させていくことにより構築され、土壌３と地下中空部４との境界線となる。
【００１５】
なお、この場合PC壁体１の全体図は省略し、説明の便宜上、隣接しているPC部材2a及び2bに関してのみ説明する。
【００１６】
ここでPC部材2a及び2bは、コンクリートで成形されており、ほぼ円柱形状の中空部５と、地表側から地中側へ向かう方向に沿って接合面６に形成された湾曲状の溝6Aとをそれぞれ有し、互いの溝6Aを対向させるように隣接させることにより、土壌３と地下中空部４との境界線に沿ってPC部材2a及び2b間の接合部７内にほぼ断面楕円形状のグラウト注入孔８及び治具装着孔９を形成する。
【００１７】
このグラウト注入孔８は、上部からモルタルグラウト材10が充填されることにより、その内部でモルタルグラウト材10が凝結されている。
【００１８】
これによりモルタルグラウト材10は、グラウト注入孔８で土壌３と地下中空部４とを仕切り、土壌３から接合部７の隙間を通って浸水してきた地下水などを止水する。
【００１９】
また治具装着孔９は、上部から本発明による止水治具11が打設されることにより、その内部に止水治具11が装着されている。これにより止水治具11は、治具装着孔９内で土壌３と地下中空部４とを仕切るようになされている。
【００２０】
実際上、止水治具11は、図２に示すように、PC部材2a及び2bの長手方向（地上側から地中側の方向）の全長と同じ長さに選定された仕切り板12と、当該仕切り板12に設けられ角柱状で僅かに弾力性のある水膨張ゴム13a、13b及び13cとから構成されており、治具装着孔９内を仕切り３区域に区分する。
【００２１】
因みに、この実施の形態の場合、止水治具11は、僅かに凹凸を有するコンクリートでなる側面9Aに水膨張ゴム13a、13b及び13cが接していることにより、当該側面9Aと水膨張ゴム13a、13b及び13cとの間に生じる摩擦が大きいため治具装着孔９内に一段と確実に固定されている。
【００２２】
ここで仕切り板12は、その全体がほぼ断面Y字状でなり、板状でなる三枚の板部14a、14b及び14ｃがその一端側で一体形成されていると共に、他端側にそれぞれ水膨張ゴム13a、13b及び13cを支持するための板状の支持部15a、15b及び15cが一体形成されている。
【００２３】
また仕切り板12は、図３に示すように、当該仕切り板12の中心点と治具装着孔９の中心点とがほぼ一致し、地下中空部４側の隙間G1に１つの板部14aを位置させることにより、土壌３側の隙間G2が他の板部14b及び14c間に位置すると共に、板部14a、14b及び14cが治具装着孔９内の側面9Aに対してほぼ直角になるように形成されている。
【００２４】
板部14aは、仕切り板12の中心点から水膨張ゴム13aの外面までを合わせた長さが、治具装着孔９の中心点から隙間G1までの長さよりも僅かに長くなるように選定されており、これにより隙間G1に板部14aを位置させた状態で治具装着孔９に止水治具11が装着されると、水膨張ゴム13aが圧縮された状態で治具装着孔９の隙間G1に圧着し、当該水膨張ゴム13aが隙間G1を埋めた状態で密着固定される。
【００２５】
この状態で板部14b及び14ｃは、仕切り板12の中心点から水膨張ゴム13b及び13cの外面までを合わせた長さが、治具装着孔９の中心点から側面9Aまでの長さよりも僅かに長くなるように選定されており、これにより治具装着孔９に止水治具11が装着されると、水膨張ゴム13b及び13cが圧縮された状態で治具装着孔９の側面9Aに圧着し、当該水膨張ゴム13b及び13cが治具装着孔９の側面9Aに密着固定される。
【００２６】
水膨張ゴム13a、13b及び13cは、地下水などに接触するとその水分を吸収し膨張する樹脂と、ゴム成分とが混合されたもので、止水治具11が治具装着孔９に装着されることにより発生する圧縮力によって互いに押圧し合っている。
【００２７】
以上の構成において、止水治具11は、モルタルグラウト注入孔内８で凝結しているモルタルグラウト材10にヒビ割れが生じ、土壌３からモルタルグラウト注入孔８を介して治具装着孔９内へ地下水が浸水してくると、先ず、水膨張ゴム13b又は13cに接触して吸収される。
【００２８】
これにより止水治具11は、例えば水膨張ゴム13bが膨張されると、この膨張圧が仕切り板12を介してぼぼ均等に水膨張ゴム13a、13b及び13cに分散されて当該水膨張ゴム13a、13b及び13cを側面9Aに一段と圧着させることにより、水膨張ゴム13a、13b及び13c全てを互いに治具装着孔９の側面9Aに対して一段と密着固定できる。
【００２９】
かくして止水治具11は、隙間G2から浸水してきた地下水が水膨張ゴム13b又は13cのいずれかに接触するだけで、水膨張ゴム13a、13b及び13c全てをそれぞれ側面9Aに一段と圧着させて第１の区域E1で地下水を止水できる。
【００３０】
また、止水治具11は、隙間G2からさらに地下水が浸水し、当該地下水が第１の区域E1から第２又は第３の区域E2又はE3へ浸水してくると、先ず水膨張ゴム13aに接触して吸収される。
【００３１】
これにより止水治具11は、水膨張ゴム13aが膨張し、この膨張圧が仕切り板12を介してぼぼ均等に水膨張ゴム13a、13b及び13cに分散されて当該水膨張ゴム13a、13b及び13cをさらに一段と圧着させることにより、水膨張ゴム13a、13b及び13c全てを互いに治具装着孔９の側面9Aにさらに一段と密着固定できる。
【００３２】
かくして止水治具11は、隙間G2から浸水してきた地下水が水膨張ゴム13aに接触するだけで、第２及び第３の区域E2及びE3で地下水を止水できると共に、第１の区域E1でもさらに地下水を止水できる。
【００３３】
以上の構成によれば、治具装着孔９の側面9Aに３箇所で接すると共に、当該治具装着孔９を３つの区域に仕切る仕切り板12を装着することにより、モルタルグラウト材10にヒビ割れが生じて土壌３側から地下水が浸水してきても、先ず第１の区域E1で止水し、この第１の区域E1にも地下水が浸水してきた場合であっても第２又は第３の区域E2又はE3でさらに止水でき、かくして接合部７からの水漏れを一段と確実に防止できる。
【００３４】
また、接合部７へ地下水が一旦浸水してきた場合であっても、当該地下水により水膨張ゴム13a、13b及び13cが膨張され、この膨張圧によって水膨張ゴム13a、13b及び13cそれぞれが治具装着孔９の側面9Aにさらに一段と圧着するため、地下水が浸水することにより当該治具装着孔９内が仕切り板12によって一段と確実に仕切られるので、治具装着孔９で地下水を確実に止水でき、かくして接合部７からの水漏れを一段と確実に防止できる。
【００３５】
さらに、地震などによりPC部材2a又は2bから接合部７へ力が加わっても、水膨張ゴム13a、13b及び13cによりその力が吸収されるため止水治具11自体破損し難く、また、これにより生じた弾性力をほぼ均等に他の水膨張ゴム13a、13b及び13cへ分散させ、当該水膨張ゴム13a、13b及び13cを一段と側面9Aに圧着させることができ、かくして治具装着孔９内を仕切り板12によって確実に仕切ることができる。
【００３６】
さらに加えて、仕切り板12は、各板部14a、14b及び14cが側面9Aに対してほぼ直角になるような断面ほぼY字状に形成されていることにより、側面9Aに対してほぼ垂直方向から各水膨張ゴム13a、13b及び13cを圧着させているので、中心点から水膨張ゴム13a、13b及び13cへ加わる膨張圧を側面9Aに対して全て伝えることができ、かくして膨張圧が高くなればなるほど水膨張ゴム13a、13b及び13c全てを側面9Aに一段と確実に圧着させることができる。
【００３７】
また、仕切り板12は、側面9Aと接する３箇所全てにそれぞれ水膨張ゴム13a、13b及び13cを設けたことにより、土壌３側から接合部７へ地下水が浸水してきた場合、いずれか１つの水膨張ゴム13a、13b又は13cに地下水が接触しさえすれば、側面9Aと接する３箇所全ての水膨張ゴム13a、13b及び13cをさらに一段と側面9Aに密着させて当該治具装着孔９内を仕切ることができる。
【００３８】
さらに、水膨張ゴム13b又は13cのいずれの側から地下水が浸水してきても、水膨張ゴム13b又は13cと水膨張ゴム13aとの２箇所で必ず止水を行うことができるので、接合部７からの水漏れを一段と確実に防止できる。
【００３９】
因みに、止水治具11は、治具装着孔９の側面9Aと接する箇所にのみ水膨張ゴム13a、13b及び13cを設けたことにより、仕切り板12も水膨張ゴムで形成する場合に比べて生産コストを低減できる。
【００４０】
なお上述した実施の形態においては、接合孔として、ほぼ断面楕円形状の治具装着孔９を適用するようにした場合について述べたが、本発明はこれに限らず、図１と対応箇所に同一符号を付して示す図４のPC壁体30のように、ほぼ断面三角形状の治具装着孔31やこの他種々の断面形状の接合孔を適用するようにしても良い。
【００４１】
この場合、PC部材2a及び2bは、接合面６に沿うように地表側から地中側へ形成された鋭角状の溝32をそれぞれ有し、互いの溝32を対向させるようにして隣接させることにより、隣接するPC部材2a及び2bとの接合部７に接合孔としてほぼ断面三角形状の治具装着孔31が形成され、上述と同様に止水治具11を用いることができる。
【００４２】
すなわち、止水治具11は、上述と同様に、水膨張ゴム13a、13b及び13cをほぼ垂直方向から治具装着孔31内の側面31Aに圧着させて当該治具装着孔31内を仕切ることができるので、治具装着孔31に地下水が浸水しても確実に止水でき、かくして接合部７からの水漏れを一段と確実に防止できる。
【００４３】
また上述した実施の形態においては、治具装着孔９の断面形状に応じて仕切り板12をほぼ断面Y字状に形成するようにした場合について述べたが、本発明はこれに限らず、接合孔内で３箇所で接すると共に、当該３箇所のうち少なくともいずれか１箇所が水膨張ゴムを介して当該接合孔と接することで接合孔内を仕切するようなものでれば、治具装着孔の断面形状に応じて仕切り板をこの他種々の断面形状に形成するようにしても良い。
【００４４】
さらに上述した実施の形態においては、側面9Aと接する３箇所全てに水膨張ゴム13a、13b及び13cを設けるようにした場合について述べたが、本発明はこれに限らず、側面9Aと接する３箇所のうち少なくとも１箇所に水膨張ゴムを設けるようにしたり、或いは仕切り板12も水膨張ゴムで形成するようにしても良い。
【００４５】
さらに上述した実施の形態においては、角筒状でなるPC部材2a及び2b間の接合部に形成される接合孔９に本発明による止水治具11を適用するようにした場合について述べたが、本発明はこれに限らず、例えばボックスカルバート間の接合部に形成される接合孔などこの他種々の連続部材間に形成される接合孔に本発明による止水治具を適用するようにしても良い。
【００４６】
さらに上述した実施の形態においては、コンクリートで成形されたPC部材2a及び2bに止水治具11を適用するようにした場合について述べたが、本発明はこれに限らず、鋼材などこの他種々材質で成形された連続部材に止水治具11を適用するようにしても良い。
【図面の簡単な説明】
【００４７】
【図１】PC壁体の正面断面図である。
【図２】本発明による止水治具の略線的断面図である。
【図３】本発明による止水治具の正面断面図である。
【図４】他の実施の形態によるPC壁体を示す正面断面図である
【符号の説明】
【００４８】
１  PC壁体
2a及び2b  PC部材（連続部材）
７  接合部
８  グラウト注入孔（接合孔）
９  治具挿着孔（接合孔）
11  止水治具
12  仕切り板
13a、13b及び13c  水膨張ゴム
【図１】
2005155038.tif 000003
【図２】
2005155038.tif 000004
【図３】
2005155038.tif 000005
【図４】
2005155038.tif 000006